(57)【要約】  ユーザ端末（ＵＥ；Ｕｓｅｒ  Ｅｑｕｉｐｍｅｎｔ）が直交カバーリングコード（ＯＣＣ；Ｏｒｔｈｏｇｏｎａｌ  Ｃｏｖｅｒｉｎｇ  Ｃｏｄｅｓ）をＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスから生成されたレファレンス信号（ＲＳ；Ｒｅｆｅｒｅｎｃｅ  Ｓｉｇｎａｌ）の伝送に適用するようにし、ＯＣＣの適用を可能にすると共に、通信システムでこのようなシーケンスのホッピングが可能にし、データチャネルでの伝送と制御チャネルでの伝送との間でシーケンスホッピングの適用を区分するようにする方法及び装置が提供される。
2013520908.tif 000002
【特許請求の範囲】
【請求項１】
基地局（ＢＳ；Ｂａｓｅ  Ｓｔａｔｉｏｎ）がシーケンスによって表現される多重レファレンス信号（ＲＳ；Ｒｅｆｅｒｅｎｃｅ  Ｓｉｇｎａｌ）の各々を有する伝送時間間隔（ＴＴＩ；Ｔｒａｎｓｍｉｓｓｉｏｎ  Ｔｉｍｅ  Ｉｎｔｅｒｖａｌ）上で多重ＲＳを伝送するユーザ端末（ＵＥ；Ｕｓｅｒ  Ｅｑｕｉｐｍｅｎｔ）と通信を行い、基地局がユーザ端末にすべての多重ＲＳ伝送に対して同一のシーケンスを使用するか、またはホッピングパターンによるあらかじめ定められたシーケンスのセットから各シーケンスを選択するように指示する通信システムで、ユーザ端末に対して前記ＴＴＩ上で多重ＲＳの伝送に直交カバーリングコード（ＯＣＣ；Ｏｒｔｈｏｇｏｎａｌ  Ｃｏｖｅｒｉｎｇ  Ｃｏｄｅ）を適用するための方法において、
多重シーケンスの各々がホッピングパターンによるシーケンスのセットの間で選択されれば、ＯＣＣの適用なしに多重ＲＳを伝送する段階と；
すべての多重シーケンスの各々が同一である場合、ＯＣＣの適用とともに多重ＲＳを伝送する段階と；
を含む直交カバーリングコードを適用するための方法。
【請求項２】
前記ＯＣＣは、少なくとも１つの肯定要素（ｐｏｓｉｔｉｖｅ  ｅｌｅｍｅｎｔ）及び少なくとも１つの否定要素（ｎｅｇａｔｉｖｅ  ｅｌｅｍｅｎｔ）を有することを特徴とする請求項１に記載の直交カバーリングコードを適用するための方法。
【請求項３】
各シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスの各々から生成されることを特徴とする請求項１に記載の直交カバーリングコードを適用するための方法。
【請求項４】
前記基地局は、同一のシーケンスがモード多重ＲＳ伝送に対して使用されれば、第１シーケンスの伝送に適用するための循環シフト（ＣＳ；Ｃｙｃｌｉｃ  Ｓｈｉｆｔ）をユーザ端末に指示する固定された番号のビットを有する循環シフト指示子（ＣＳＩ；Ｃｙｃｌｉｃ  Ｓｈｉｆｔ  Ｉｎｄｉｃａｔｏｒ）情報要素を使用し、各シーケンスがホッピングパターンによるシーケンスのセットから選択されれば、第１シーケンスの伝送に適用するためのＯＣＣ及びＣＳをユーザ端末に指示するＣＳＩを使用することを特徴とする請求項１に記載の直交カバーリングコードを適用するための方法。
【請求項５】
前記基地局は、ユーザ端末に前記基地局と通信を行うすべてのユーザ端末に対して意図されたブロードキャストシグナリングを通じてホッピングパターンによるシーケンスのセットから各シーケンスを選択するか、またはすべての多重ＲＳ伝送のために同一のシーケンスを使用するように指示することを特徴とする請求項１に記載の直交カバーリングコードを適用するための方法。
【請求項６】
基地局（ＢＳ；Ｂａｓｅ  Ｓｔａｔｉｏｎ）が多重第１シーケンスの各々によって表現される多重レファレンス信号（ＲＳ；Ｒｅｆｅｒｅｎｃｅ  Ｓｉｇｎａｌ）を有する、伝送時間間隔（ＴＴＩ；Ｔｒａｎｓｍｉｓｓｉｏｎ  Ｔｉｍｅ  Ｉｎｔｅｒｖａｌ）にわたって物理アップリンク共有チャネル（ＰＵＳＣＨ；Ｐｈｙｓｉｃａｌ  Ｕｐｌｉｎｋ  Ｓｈａｒｅｄ  ＣＨａｎｎｅｌ）でデータ信号または制御信号と多重ＲＳを伝送するか、または多重第２シーケンス各々によって表現される多重ＲＳまたは多重制御信号を有する、前記ＴＴＩにわたって物理アップリンク制御チャネル（ＰＵＣＣＨ；Ｐｈｙｓｉｃａｌ  Ｕｐｌｉｎｋ  Ｃｏｎｔｒｏｌ  ＣＨａｎｎｅｌ）で多重制御信号及び多重ＲＳ伝送する、ユーザ端末（ＵＥ；Ｕｓｅｒ  Ｅｑｕｉｐｍｅｎｔ）と通信を行う通信システムで、ユーザ端末が多重第１シーケンス及び多重第２シーケンスを選択するための方法において、
前記ユーザ端末によって、第１シーケンスホッピングパラメータ及び第２シーケンスホッピングパラメータを選択する段階と；
前記ユーザ端末によって、前記第１シーケンスホッピングパラメータがシーケンスホッピングが活性化されないことを示す場合、第１シーケンスとなるすべての多重第１シーケンス及び第２シーケンスとなるすべての多重第２シーケンスを選択する段階と；
前記ユーザ端末によって、前記第１シーケンスホッピングパラメータがシーケンスホッピングが活性化されたことを示し、前記第２シーケンスホッピングパラメータがシーケンスホッピングが活性化されなかったことを示す場合、第１シーケンスとなるすべての多重第１シーケンス及び第２ホッピングパターンによる第２シーケンスのセットから決定される多重第２シーケンスを選択する段階と；
前記ユーザ端末によって、前記第１シーケンスホッピングパラメータがシーケンスホッピングが活性化されたことを示し、前記第２シーケンスホッピングパラメータがシーケンスホッピングが活性化されたことを示す場合、第１ホッピングパターンによる第１シーケンスのセットから決定される多重第１シーケンス及び第２ホッピングパターンによる第２シーケンスのセットから決定される多重第２シーケンスを選択する段階と；
を含む多重第１シーケンス及び多重第２シーケンスを選択するための方法。
【請求項７】
前記第１シーケンスホッピングパラメータは、ブロードキャストシグナリングによってすべてのユーザ端末に伝送され、
前記第２シーケンスホッピングパラメータは、ユーザ端末特定シグナリングによって他のユーザ端末から個別ユーザ端末に個別的に伝送されることを特徴とする請求項６に記載の多重第１シーケンス及び多重第２シーケンスを選択するための方法。
【請求項８】
前記多重第１シーケンスの各々または前記多重第２シーケンスの各々は、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスの各々から生成されることを特徴とする請求項６に記載の多重第１シーケンス及び多重第２シーケンスを選択するための方法。
【請求項９】
前記ユーザ端末は、前記第２シーケンスホッピングパラメータがシーケンスホッピングが活性化されないことを指示する場合、前記ＰＵＳＣＨで前記多重ＲＳ伝送に対して直交カバーリングコード（ＯＣＣ；Ｏｒｔｈｏｇｏｎａｌ  Ｃｏｖｅｒｉｎｇ  Ｃｏｄｅ）を適用することを特徴とする請求項６に記載の多重第１シーケンス及び多重第２シーケンスを選択するための方法。
【請求項１０】
ユーザ端末のうち一部は、前記第１シーケンスホッピングパラメータ及び前記第２シーケンスホッピングパラメータの両方を受信し、
前記一部でない残りのユーザ端末は、前記第１シーケンスホッピングパラメータだけを受信することを特徴とする請求項６に記載の多重第１シーケンス及び多重第２シーケンスを選択するための方法。
【請求項１１】
多重第１シーケンスの各々によって表現される多重レファレンス信号（ＲＳ；Ｒｅｆｅｒｅｎｃｅ  Ｓｉｇｎａｌ）を有する、伝送時間間隔（ＴＴＩ；Ｔｒａｎｓｍｉｓｓｉｏｎ  Ｔｉｍｅ  Ｉｎｔｅｒｖａｌ）にわたって物理アップリンク共有チャネル（ＰＵＳＣＨ；Ｐｈｙｓｉｃａｌ  Ｕｐｌｉｎｋ  Ｓｈａｒｅｄ  ＣＨａｎｎｅｌ）でデータ信号または制御信号と前記多重ＲＳを伝送するか、または第２シーケンスの各々によって表現される多重ＲＳまたは多重制御信号を有する、前記ＴＴＩにわたって物理アップリンク制御チャネル（ＰＵＣＣＨ；Ｐｈｙｓｉｃａｌ  Ｕｐｌｉｎｋ  Ｃｏｎｔｒｏｌ  ＣＨａｎｎｅｌ）で前記多重制御信号及び前記多重ＲＳを伝送するためのユーザ端末（ＵＥ；Ｕｓｅｒ  Ｅｑｕｉｐｍｅｎｔ）装置において、
基地局（ＢＳ；Ｂａｓｅ  Ｓｔａｔｉｏｎ）から伝送される第１シーケンスホッピングパラメータまたは第２シーケンスホッピングパラメータを受信するための受信機と；
前記第１シーケンスホッピングパラメータがシーケンスホッピングが活性化されないことを示す場合、第１シーケンスとなるすべての多重第１シーケンス及び第２シーケンスとなるすべての多重第２シーケンスを選択するか、または前記第１シーケンスホッピングパラメータがシーケンスホッピングが活性化されたことを示し、前記第２シーケンスホッピングパラメータがシーケンスホッピングが活性化されなかったことを示す場合、第１シーケンスとなるすべての多重第１シーケンス及び第２ホッピングパターンによる第２シーケンスのセットから決定される多重第２シーケンスを選択するか、または前記第１シーケンスホッピングパラメータがシーケンスホッピングが活性化されたことを示し、前記第２シーケンスホッピングパラメータがシーケンスホッピングが活性化されたことを示す場合、第１ホッピングパターンによる第１シーケンスのセットから決定される多重第１シーケンス及び第２ホッピングパターンによる第２シーケンスのセットから決定される多重第２シーケンスを選択するようにする選択機と；
前記ＰＵＳＣＨで前記データまたは制御信号と前記多重ＲＳを伝送するか、または、前記ＰＵＣＣＨで前記多重制御信号及び前記多重ＲＳを伝送するための伝送機と；
を含むユーザ端末装置。
【請求項１２】
前記第１シーケンスホッピングパラメータは、前記基地局からブロードキャストシグナリングを通じて受信され、
前記第２シーケンスホッピングパラメータは、前記基地局からユーザ端末特定シグナリングを通じて受信されることを特徴とする請求項１１に記載のユーザ端末装置。
【請求項１３】
前記多重第１シーケンスの各々または前記多重第２シーケンスの各々は、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスの各々から生成されることを特徴とする請求項１１に記載のユーザ端末装置。
【請求項１４】
前記第２シーケンスホッピングパラメータがシーケンスホッピングが活性化されないことを指示する場合、直交カバーリングコード（ＯＣＣ；Ｏｒｔｈｏｇｏｎａｌ  Ｃｏｖｅｒｉｎｇ  Ｃｏｄｅ）は、前記ＰＵＳＣＨで前記多重ＲＳ伝送に対して適用することを特徴とする請求項１１に記載のユーザ端末装置。
【請求項１５】
前記ユーザ端末装置が第１基地局と通信を行うとき、前記第１シーケンスホッピングパラメータ及び前記第２シーケンスホッピングパラメータの両方が受信され、
前記ユーザ端末装置が第２基地局と通信を行うとき、前記第１シーケンスホッピングパラメータだけを受信することを特徴とする請求項１１に記載のユーザ端末装置。
【発明の詳細な説明】
【技術分野】
【０００１】
本発明は、一般的に無線通信システムに関し、より詳細には、ユーザ端末から伝送されるレファレンス信号のフィーチャーを活性化し、機能を強化することに関する。レファレンス信号は、与えられた時間インスタンスでユーザ端末によって経験するチャネル媒体の推定を提供する。
【背景技術】
【０００２】
いくつかの形式の信号は、通信システムの適切な機能のために支援されることが必要である。情報コンテンツを伝達するデータ信号だけでなく、制御信号もデータ信号の適切なプロセッシングを可能にするために通信システムのアップリンク（ＵＬ；ＵｐＬｉｎｋ）でユーザ端末（ＵＥ；Ｕｓｅｒ  Ｅｑｕｉｐｍｅｎｔ）からそれらのサービング基地局（ＢＳまたはＮｏｄｅＢ）に、そして通信システムのダウンリンク（ＤＬ；ＤｏｗｎＬｉｎｋ）でサービング基地局（ＮｏｄｅＢ）からユーザ端末（ＵＥ）に伝送されることが必要である。例えば、制御信号は、（各々正確または不正確な）データパケット受信に対する応答として伝送され、ＨＡＲＱ（Ｈｙｂｒｉｄ  Ａｕｔｏｍａｔｉｃ  Ｒｅｐｅａｔｒｅ  Ｑｕｅｓｔ）プロセス（ＨＡＲＱ−ＡＣＫ信号）に関連した肯定または否定応答信号（各々ＡＣＫまたはＮＡＣＫ）を含む。制御信号は、また、チャネル品質指示子（ＣＱＩ；Ｃｈａｎｎｅｌ  Ｑｕａｌｉｔｙ  Ｉｎｄｉｃａｔｉｏｎ）信号を含む。このＣＱＩ信号は、ユーザ端末が、ユーザ端末が経験するダウンリンクチャネル条件に関する情報を提供するために基地局（ＮｏｄｅＢ）に伝送する。さらに、パイロット信号（ｐｉｌｏｔ  ｓｉｇｎａｌ）として知られているレファレンス信号（ＲＳ；Ｒｅｆｅｒｅｎｃｅ  Ｓｉｇｎａｌ）は、チャネル推定を提供し、伝送されたデータまたは制御信号に対してコヒーレント（ｃｏｈｅｒｅｎｔ）復調を可能にするために、またはアップリンクでユーザ端末が経験したアップリンクチャネル条件を測定するために受信基地局（ＮｏｄｅＢ）によって使用されるように典型的に伝送される。データの復調のために使用される前者のレファレンス信号または制御信号は、ＤＭＲＳ（ＤｅＭｏｄｕｌａｔｉｏｎ  ＲＳ）で示す。一方、典型的に事実上広帯域である後者のレファレンス信号は、アップリンクチャネル媒体をサウンディング（ｓｏｕｎｄｉｎｇ）のために使用され、ＳＲＳ（Ｓｏｕｎｄｉｎｇ  ＲＳ）で示す。
【０００３】
一般的に、ターミナルまたは移動局（Ｍｏｂｉｌｅ  Ｓｔａｔｉｏｎ）で示されるユーザ端末（ＵＥ）は、固定されたものであるか、または移動するものであることができる。そして無線装置、携帯電話、パソコン装置などになることができる。基地局（ＮｏｄｅＢ）は、一般的に固定局（ｆｉｘｅｄ  ｓｔａｔｉｏｎ）であり、ＢＴＳ（Ｂａｓｅ  Ｔｒａｎｓｃｅｉｖｅｒ  Ｓｙｓｔｅｍ）、アクセスポイント（ＡＰ；ａｃｃｅｓｓ  ｐｏｉｎｔ）または類似の用語で示されることができる。
【０００４】
ユーザ端末は、物理アップリンク共有チャネル（ＰＵＳＣＨ；Ｐｈｙｓｉｃａｌ  Ｕｐｌｉｎｋ  Ｓｈａｒｅｄ  ＣＨａｎｎｅｌ）を介してデータまたは制御情報を伝送する。一方、ＰＵＳＣＨ伝送がないとき、ユーザ端末は、物理アップリンク制御チャネル（ＰＵＣＣＨ；Ｐｈｙｓｉｃａｌ  Ｕｐｌｉｎｋ  Ｃｏｎｔｒｏｌ  ＣＨａｎｎｅｌ）を介して制御情報を伝送する。ユーザ端末は、物理ダウンリンク共有チャネル（ＰＤＳＣＨ；Ｐｈｙｓｉｃａｌ  Ｄｏｗｎｌｉｎｋ  Ｓｈａｒｅｄ  ＣＨａｎｎｅｌ）を介してデータ情報を伝達する信号を受信する。一方、制御情報を伝達する信号は、物理ダウンリンク制御チャネル（ＰＤＣＣＨ；Ｐｈｙｓｉｃａｌ  Ｄｏｗｎｌｉｎｋ  Ｃｏｎｔｒｏｌ  ＣＨａｎｎｅｌ）を介して受信する。
【０００５】
ユーザ端末は、伝送時間間隔（ＴＴＩ；Ｔｒａｎｓｍｉｓｓｉｏｎ  Ｔｉｍｅ  Ｉｎｔｅｒｖａｌ）を介してＰＵＳＣＨまたはＰＵＣＣＨで伝送すると仮定する。このＴＴＩは、例えば、１ミリ秒（ｍｓｅｃ）の期間を有するサブフレームに対応する。図１は、ＰＵＳＣＨ伝送のためのサブフレーム構造１１０のブロック図を示す。サブフレームは、２個のスロットを含む。各スロット１２０は、７個のシンボルを含む。各シンボル１３０は、チャネル伝搬効果に起因した干渉を緩和させるための循環前置（ＣＰ；Ｃｙｃｌｉｃ  Ｐｒｅｆｉｘ）をさらに含む。各スロットでいくつかのシンボルは、ＤＭＲＳ伝送１４０のために使用されることができる。サブフレームで二番目のＤＭＲＳは、後で述べるように、（“−１”でスケールされる）その負の値１５０で伝送されるか、そうでないことがある。ＰＵＳＣＨ伝送帯域幅（ＢＷ；ＢａｎｄＷｉｄｔｈ）は、周波数リソース単位で構成される。この周波数リソース単位は、リソースブロックリソースブロック（ＲＢ；Ｒｅｓｏｕｒｃｅ  Ｂｌｏｃｋ）で示す。一実施例において、各ＲＢは、
【数１】
2013520908.tif 000003
サブキャリアを含む。このサブキャリアは、また、リソース要素（ＲＥ；Ｒｅｓｏｕｒｃｅ  Ｅｌｅｍｅｎｔ）で示すことができる。ユーザ端末は、ＰＵＳＣＨ伝送のために１つ以上のＲＢが割り当てられることができ、ＰＵＣＣＨ伝送のために１つのＲＢが割り当てられることができる。
【０００６】
ユーザ端末によるＰＵＳＣＨ伝送またはＰＤＳＣＨ受信は、動的にダウンリンク制御情報（ＤＣＩ；Ｄｏｗｎｌｉｎｋ  Ｃｏｎｔｒｏｌ  Ｉｎｆｏｒｍａｔｉｏｎ）を伝達するスケジューリング割り当て（ＳＡ；Ｓｃｈｅｄｕｌｉｎｇ  Ａｓｓｉｇｎｍｅｎｔ）の各々を通じて、または無線リソース制御（ＲＲＣ；Ｒａｄｉｏ  Ｒｅｓｏｕｒｃｅ  Ｃｏｎｔｒｏｌ）シグナリングのようなユーザ端末に特定された（ＵＥ−ｓｐｅｃｉｆｉｃ）上位階層シグナリングを利用した半静的スケジューリング（ＳＰＳ；Ｓｅｍｉ−Ｐｅｒｓｉｓｔｅｎｔ  Ｓｃｈｅｄｕｌｉｎｇ）を通じて基地局（ＮｏｄｅＢ）によってスケジューリングされることができる。ＤＣＩフォーマットは、ＰＤＳＣＨ（ＤＬ  ＳＡ）で基地局によってデータパケット伝送に関連して、またはＰＵＳＣＨ（ＵＬ  ＳＡ）で基地局にデータパケット伝送に関連してユーザ端末に情報を提供することができる。ユーザ端末は、ＳＰＳであらかじめ定められたサブフレームでデータパケットを伝送するかまたは受信する。
【０００７】
図２は、ＳＡ伝送のための基地局でのプロセスチェーンを示す。ＳＡが対象となる媒体接近制御（ＭＡＣ；Ｍｅｄｉａ  Ａｃｃｅｓｓ  Ｃｏｎｔｒｏｌ）階層ユーザ端末識別子（ＵＥ  ＩＤ）は、ユーザ端末が、ＳＡがこのための対象となることを識別することを可能にするために、ＳＡ情報ビットの循環重複検査（ＣＲＣ；Ｃｙｃｌｉｃ  Ｒｅｄｕｎｄａｎｃｙ  Ｃｈｅｃｋ）にマスクされる。ＳＡ情報ビット２１０のＣＲＣが算出され（２２０）、その後、ＣＲＣビットとユーザ端末識別子（ＵＥ  ＩＤ）ビット２４０との間にＸＯＲ（ｅＸｃｌｕｓｉｖｅ  ＯＲ）演算を利用してマスクされる（２３０）。ＸＯＲ演算は、ただ２入力ビットのうちただ１つが１であることが真実であるか否かを評価する。したがって、ＸＯＲ（０、０）＝０、ＸＯＲ（０、１）＝１、ＸＯＲ（１、０）＝１、ＸＯＲ（１、１）＝０である。その後、マスクされたＣＲＣは、ＳＡに情報ビットを付着し（２５０）、（畳み込み符号化のような）チャネルコーディング２６０が行われ、次いで、割り当てられたＰＤＣＣＨリソースに対してレートマッチング２７０が行われ、そして最後にインターリービング及び変調２８０が行われ、ＳＡ２９０の伝送が行われる。ＣＲＣ及びＵＥ  ＩＤの両方は、例えば、１６ビットのように、同一の長さを有すると仮定する。
【０００８】
ユーザ端末受信機は、基地局伝送機の逆動作を行う。これは、図３に示された。受信された制御信号３１０は、復調され（ｄｅｍｏｄｕｌａｔｅｄ）、その結果、ビットは、デインターリービングされ（ｄｅ−ｉｎｔｅｒｌｅａｖｅｄ）（３２０）、基地局伝送機に適用されたレートマッチングが復旧され（３３０）、次いで、デコーディング（ｄｅｃｏｄｉｎｇ）３４０が行われる。その後、ＣＲＣビットを抽出した後（３５０）、ＳＡビット３６０が得られる。その後、ＳＡビット３６０は、ＵＥ  ＩＤ  ３８０でＸＯＲ演算が適用されることによって、ジマスク（ｄｅ−ｍａｓｋｅｄ）（３７０）される。最後に、ユーザ端末は、ＣＲＣ検査３９０を行う。もしＣＲＣ検査が通過されれば、ユーザ端末は、ＳＡを有効なものと見なし、信号受信（ＤＬ  ＳＡ）または信号伝送（ＵＬ  ＳＡ）のためのパラメータを決定する。もしＣＲＣ検査が通過されなければ、ユーザ端末は、推定された（ｐｒｅｓｕｍｅｄ）ＳＡを無視する。
【０００９】
ＤＭＲＳは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスから生成されるものと仮定する。そのようなシーケンスの例は、次の数式（１）によって与えられる。
【００１０】
【数２】
2013520908.tif 000004
【００１１】
ＣＡＺＡＣシーケンスの長さｎは、シーケンス要素のインデックスである。ｎ＝｛０、１、２、…、Ｌ−１｝、そしてｋは、シーケンスインデックスである。素数を有する長さＬのＣＡＺＡＣシーケンスに対して、シーケンスの数は、Ｌ−１である。したがって、シーケンスの全体ファミリは、｛１、２、…、Ｌ−１｝の範囲を有するｋとして定義される。しかし、ＤＭＲＳ伝送のためのシーケンスは、前述した表現を厳格に利用することによって生成される必要はない。１つのＲＢは、
【数３】
2013520908.tif 000005
個のＲＥを含むものと仮定されるので、ＣＡＺＡＣを基盤としたシーケンスは、結果物のシーケンスがＣＡＺＡＣシーケンスの定義を厳格に満足させないとしても（長さ１３のような）長いプライム長さＣＡＺＡＣシーケンスを切り捨てることによって、またはその終端でその一番目の要素を繰り返すこと（すなわち循環拡張（ｃｙｃｌｉｃ  ｅｘｔｅｎｓｉｏｎ））による（長さ１１のような短いプライム長さＣＡＺＡＣシーケンスを拡張することによって生成されることができる。代案的に、ＣＡＺＡＣシーケンスは、コンピュータがＣＡＺＡＣ属性を満足するシーケンスを探すことを通じて生成されることができる。
【００１２】
図４は、ＣＡＺＡＣシーケンスを基盤としたユーザ端末（ＵＥ）でＤＭＲＳ伝送機の構造を示す。ＣＡＺＡＣシーケンスの周波数ドメインバージョンは、離散フーリエ変換（ＤＦＴ；Ｄｉｓｃｒｅｔｅ  Ｆｏｕｒｉｅｒ  Ｔｒａｎｓｆｏｒｍ）をその時間ドメインバージョンに適用することによって得られることができる。周波数ドメインＣＡＺＡＣを基盤としたシーケンス４１０が生成され、割り当てられたＰＵＳＣＨ伝送帯域幅でＲＥ  ４２０が選択され（４３０）、逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）が行われ（４４０）、循環シフト（ＣＳ；Ｃｙｃｌｉｃ  Ｓｈｉｆｔ）４５０が適用され、そして伝送される信号４８０に循環前置（ＣＰ；Ｃｙｃｌｉｃ  Ｐｒｅｆｉｘ）４６０及びフィルタリング４７０が適用される。ユーザ端末は、さらに他のユーザ端末（図示せず）から信号伝送のために使用されるＲＥのように、ＤＭＲＳが伝送されないＲＥでゼロパディング（ｚｅｒｏ  ｐａｄｄｉｎｇ）を適用する。ＰＵＳＣＨ伝送帯域幅は、ＳＣ−ＦＤＭＡ伝送原理によって隣接（ｃｏｎｔｉｇｕｏｕｓ）することができる。あるいはＰＵＳＣＨ伝送帯域幅は、ＤＦＴ−Ｓ−ＯＦＤＭ（ＤＦＴ−Ｓｐｒｅａｄ−ＯＦＤＭ）伝送原理によって隣接しなくてもよい（ｎｏｎ−ｃｏｎｔｉｇｕｏｕｓ）。簡潔にするために、この技術分野でよく知られたような、デジタル対アナログコンバータ、アナログフィルター、増幅器及び伝送アンテナのような追加的な伝送機回路は、図示していない。
【００１３】
基地局（ＮｏｄｅＢ）受信機は、ユーザ端末（ＵＥ）伝送機の逆の機能を行う。これは、図５に示された。ここで、図４の伝送機の逆の動作が行われる。図５で、アンテナは、ＲＦ（Ｒａｄｉｏ−Ｆｒｅｑｕｅｎｃｙ）アナログ信号を受信し、そして（フィルター、増幅器、周波数ダウンコンバータ及びアナログ対デジタルコンバータのような）追加プロセッシングユニットを通過した後、受信された信号のデジタル出力５１０は、タイムウィンドウイングユニット５２０を通過し、ＣＰが除去される（５３０）。その後、伝送されたＣＡＺＡＣを基盤としたシーケンスのＣＳ（Ｃｙｃｌｉｃ  Ｓｈｉｆｔ）が復元され（５４０）、高速フーリエ変換（ＦＦＴ；Ｆａｓｔ  Ｆｏｕｒｉｅｒ  Ｔｒａｎｓｆｏｒｍ）５５０が適用され、伝送されたＲＥ  ５６５の選択５６０が行われ、そしてＣＡＺＡＣを基盤としたシーケンスのレプリカで相関（ｃｏｒｒｅｌａｔｉｏｎ）５７０が適用される。その後、出力結果物５９０は、時間−周波数補間器（ｉｎｔｅｒｐｏｌａｔｏｒ）のようなチャンネル推定ユニットを通過することができる。
【００１４】
ＤＭＲＳ伝送に追加して、ＰＵＣＣＨでＲＳまたは制御信号のユーザ端末からの伝送または基地局によるそれらの受信は、ＣＡＺＡＣシーケンスに基礎することができ、前述したように、各々行われることができる。
【００１５】
ＣＡＺＡＣシーケンスの異なるＣＳは、直交シーケンスを提供する。したがって、与えられたＣＡＺＡＣシーケンスのために、異なるＣＳは、異なるユーザ端末に割り当てられることができ、同一のＲＢで直交ＤＭＲＳ多重化を成就することができる。この原理は、図６に示された。直交する同一のＣＡＺＡＣシーケンスの多重の対応するＣＳ  ６２０、６４０、６６０、及び６８０から生成された多重ＣＡＺＡＣシーケンス  ６１０、６３０、６５０、及び６７０のために、ＣＳ値６９０は、（時間不確実性エラー（ｔｉｍｅ  ｕｎｃｅｒｔａｉｎｔｙ  ｅｒｒｏｒ）及びフィルター漏出効果（ｆｉｌｔｅｒ  ｓｐｉｌｌｏｖｅｒ  ｅｆｆｅｃｔｓ）を含む）チャネル伝搬遅延拡散Ｄを超過しなければならない。もしＴＳが１つのサブフレームシンボル期間なら、ＣＳの数は、
【数４】
2013520908.tif 000006
と同一である。ここで、
【数５】
2013520908.tif 000007
は、その低い整数に切り捨てる（ｒｏｕｎｄ  ｄｏｗｎ）する“ｆｌｏｏｒ”演算を示す。
【００１６】
アップリンクＳＡと関連したＰＵＳＣＨ伝送のために、アップリンクＳＡは、ＤＭＲＳとして使用されるＣＡＺＡＣシーケンスのためのＣＳを指示する循環シフト指示子（ＣＳＩ；Ｃｙｃｌｉｃ  Ｓｈｉｆｔ  Ｉｎｄｉｃａｔｏｒ）を含むと仮定する。ＳＰＳ  ＰＵＳＣＨ伝送のために、基地局は、上位階層シグナリングを通じてユーザ端末にＣＳＩ値を提供する。表１は、ＣＳＩ値をＣＳ値にマッピングすることを示す。
【００１７】
【表１】
2013520908.tif 000008
【００１８】
同一の長さのＣＡＺＡＣを基盤としたシーケンスは、典型的に低い相互相関（ｃｒｏｓｓ−ｃｏｒｒｅｌａｔｉｏｎｓ）を有する。これは、相互干渉を最小化するのに重要である。異なる長さのＣＡＺＡＣを基盤としたシーケンスは、相互相関値の広い分布を有し、大きい値がたびたび発生する。図７は、長さ１１  ＺＣ（Ｚａｄｏｆｆ−Ｃｈｕ）シーケンスを循環拡張するか、長さ１３  ＺＣシーケンスを切り捨てるか、または長さ１２  ＣＡＺＡＣシーケンスのコンピュータ生成による結果として長さ１２  ＣＡＺＡＣを基盤としたシーケンスに対する相互相関値の累積確率密度関数（ＣＤＦ；Ｃｕｍｕｌａｔｉｖｅ  Ｄｅｎｓｉｔｙ  Ｆｕｎｃｔｉｏｎ）を示す。相互相関値で変化が観察され、甚だしくは、大きい相互相関値は、異なる長さのＣＡＺＡＣを基盤としたシーケンスの間で発生することができる。大きい相互相関の発生の任意抽出は、シーケンスホッピング（ｓｅｑｕｅｎｃｅ  ｈｏｐｐｉｎｇ）によって行われることができる。ここで、シーケンスは、例えば、その引数の１つとしてスロット番号を有する疑似ランダム（ｐｓｅｕｄｏ  ｒａｎｄｏｍ）パターンのようなホッピングパターンによるあらかじめ定められたシーケンスのセットから選択される。
【００１９】
シーケンスホッピングは、同一のグループまたは異なるグループに属する同一の長さのＣＡＺＡＣを基盤としたシーケンスの間である。ＣＡＺＡＣを基盤としたシーケンスのグループは、異なる長さを有するシーケンスで構成される。各シーケンスは、可能なＰＵＳＣＨ  ＲＢ割り当ての各々に対応する。例えば、もし３０  ＣＡＺＡＣを基盤としたシーケンスは、１ＲＢの最小割り当てのために存在する。そして利用することができるＣＡＺＡＣを基盤としたシーケンスの数は、ＲＢの数が増加することによって増加し、３０シーケンスグループは、常に生成されることができる。少なくとも６ＲＢのような大きいＲＢ割り当てのために、２シーケンスは、ＣＡＺＡＣを基盤としたシーケンス各々のグループに含まれることができる。（少なくとも６ＲＢの割り当てに対する）同一のグループのシーケンスの間でシーケンスホッピングがただシーケンスホッピングで示されることができる一方、異なるグループのシーケンスの間でシーケンスホッピングは、グループシーケンスホッピングで示されることができる。（同一のシーケンスグループ内で）グループシーケンスホッピング及びシーケンスホッピングは、各（セル−特定）パラメータ：Ｇｒｏｕｐ−ｈｏｐｐｉｎｇ−ｅｎａｂｌｅｄ及びＳｅｑｕｅｎｃｅ−ｈｏｐｐｉｎｇ−ｅｎａｂｌｅｄのブロードキャストシグナリングを通じて（ＰＵＳＣＨでＤＭＲＳまたはＰＵＣＣＨで制御信号及びＲＳ）シーケンスの伝送を利用するすべての適用可能な信号に対して、そしてそのセル内ですべてのユーザ端末に対して、基地局によって各々活性化され、または不活性化される。
【００２０】
多重ユーザ多重入力多重出力（ＭＵ−ＭＩＭＯ；Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）は、通信システムのスペクトル効率を向上させることができる。ＭＵ−ＭＩＭＯと共に、多重ユーザ端末からＰＵＳＣＨ伝送は、少なくとも帯域幅の一部を共有する。ＭＵ−ＭＩＭＯは、基地局がＭＵ−ＭＩＭＯユーザ端末が経験する干渉ないチャネル媒体の推定を得ることができたら可能である。これは、各ＤＭＲＳに対して直交する受信を要求する。もしＭＵ−ＭＩＭＯユーザ端末からＰＵＳＣＨ伝送が正確に同一の帯域幅を共有すれば、直交ＤＭＲＳ多重化は、同一のＣＡＺＡＣシーケンスの異なるＣＳを利用して得ることができる。しかし、もしＭＵ−ＭＩＭＯユーザ端末からＰＵＳＣＨ伝送が正確に同一の帯域幅を共有しなければ、異なるＣＳを利用する直交ＤＭＲＳ多重化は、各ＣＡＺＡＣを基盤としたシーケンスが異なる長さを有するので、可能でない。それでは、直交カバーリングコード（ＯＣＣ；Ｏｒｔｈｏｇｏｎａｌ  Ｃｏｖｅｒｉｎｇ  Ｃｏｄｅｓ）は、時間ドメインで直交ＤＭＲＳ多重化を提供するために使用されることができる。２ＤＭＲＳシンボルを有する、図１のサブフレーム構造のために、ＯＣＣは、｛１、１｝及び｛１、−１｝になることができる。ＣＳを考慮すれば、ＯＣＣは、ＰＵＳＣＨでＤＭＲＳ伝送のために指示されられなければならない。
【００２１】
ユーザ端末の２個のクラスは、通信システムで共存するものと推定される。レガシーユーザ端末（ｌｅｇａｃｙ−ＵＥ）で示される第１クラスのユーザ端末は、ＯＣＣを支援せず、直交ＤＭＲＳ多重化のためにただＣＳに依存する。アドバンスト（Ａｄｖａｎｃｅｄ）ユーザ端末で示される、第２クラスのユーザ端末は、ＯＣＣを支援し、直交ＤＭＲＳ多重化のためにＯＣＣ及びＣＳの両方に依存することができる。
【発明の概要】
【発明が解決しようとする課題】
【００２２】
ＯＣＣの適用のための要求される制限は、シーケンスホッピングの不在である。図１のサブフレーム構造によって、各サブフレームスロットでＤＭＲＳ伝送が異なるＣＡＺＡＣシーケンスを使用すれば、時間ドメイン直交性が可能でないからである。したがって、ＯＣＣは、ただ異なる帯域幅上でＭＵ−ＭＩＭＯ伝送に対してアドバンストユーザ端末によって要求されても、すべてのユーザ端末の性能は、全体セルにわたってシーケンスホッピングを不活性化するようにする要求によって低下する。さらに、低い相互相関を得るように計画されるシーケンスは、典型的に非現実的なので、ＣＡＺＡＣシーケンスに全面的に依存するものと推定され、ただ１つのＲＢで発生するＰＵＣＣＨ伝送は、特に影響を及ぼす。これは、強化された信頼度要求を有する制御情報を勘案すれば、非常に好ましくない。
【００２３】
したがって、アドバンストユーザ端末（Ａｄｖａｎｃｅｄ−ＵＥ）の間で、そしてレガシーユーザ端末（ｌｅｇａｃｙ−ＵＥ）とアドバンストユーザ端末との間で、ＤＭＲＳ多重化を最適化するようにＣＳＩ値をＯＣＣ及びＣＳ値にマッピングすることを定義する必要がある。
【００２４】
また、ＰＵＳＣＨでＤＭＲＳ伝送のためのＯＣＣの適用を通じて時間ドメイン直交性を支援するとき、１つのセルでシーケンスホッピングを可能にする必要がある。
【００２５】
最後に、ＰＵＳＣＨで使用されるシーケンスとＰＵＣＣＨ伝送で使用されるシーケンスとの間でシーケンスホッピングの適用を分離する必要がある。
【課題を解決するための手段】
【００２６】
上記目的を達成するために、本発明のスキームは、次のように与えられる。
【００２７】
本発明は、基地局（ＢＳ；Ｂａｓｅ  Ｓｔａｔｉｏｎ）がシーケンスによって表現される多重レファレンス信号（ＲＳ；Ｒｅｆｅｒｅｎｃｅ  Ｓｉｇｎａｌ）の各々を有する伝送時間間隔（ＴＴＩ；Ｔｒａｎｓｍｉｓｓｉｏｎ  Ｔｉｍｅ  Ｉｎｔｅｒｖａｌ）上で多重ＲＳを伝送するユーザ端末（ＵＥ；Ｕｓｅｒ  Ｅｑｕｉｐｍｅｎｔ）と通信を行い、基地局がユーザ端末にすべての多重ＲＳ伝送に対して同一のシーケンスを使用するか、またはホッピングパターンによるあらかじめ定められたシーケンスのセットから各シーケンスを選択するように指示する、通信システムの方法を提供する。ユーザ端末に対して上記ＴＴＩ上で多重ＲＳの伝送に直交カバーリングコード（ＯＣＣ；Ｏｒｔｈｏｇｏｎａｌ  Ｃｏｖｅｒｉｎｇ  Ｃｏｄｅ）を適用するための方法であって、上記方法は、多重シーケンス各々がホッピングパターンによるシーケンスのセットの間で選択されれば、ＯＣＣの適用なしに多重ＲＳを伝送する段階と、すべての多重シーケンス各々が同一であれば、ＯＣＣの適用とともに多重ＲＳを伝送する段階とを含む。
【００２８】
また、本発明は、基地局（ＢＳ；Ｂａｓｅ  Ｓｔａｔｉｏｎ）が多重第１シーケンスの各々によって表現される多重レファレンス信号（ＲＳ；Ｒｅｆｅｒｅｎｃｅ  Ｓｉｇｎａｌ）を有する、伝送時間間隔（ＴＴＩ；Ｔｒａｎｓｍｉｓｓｉｏｎ  Ｔｉｍｅ  Ｉｎｔｅｒｖａｌ）にわたって物理アップリンク共有チャネル（ＰＵＳＣＨ；Ｐｈｙｓｉｃａｌ  Ｕｐｌｉｎｋ  Ｓｈａｒｅｄ  ＣＨａｎｎｅｌ）でデータ信号または制御信号と多重ＲＳを伝送するか、または多重第２シーケンスの各々によって表現される多重ＲＳまたは多重制御信号を有する、上記ＴＴＩにわたって物理アップリンク制御チャネル（ＰＵＣＣＨ；Ｐｈｙｓｉｃａｌ  Ｕｐｌｉｎｋ  Ｃｏｎｔｒｏｌ  ＣＨａｎｎｅｌ）で多重制御信号及び多重ＲＳを伝送する、ユーザ端末（ＵＥ；Ｕｓｅｒ  Ｅｑｕｉｐｍｅｎｔ）と通信を行う通信システムの方法を提供する。ユーザ端末が多重第１シーケンス及び多重第２シーケンスを選択するための方法であって、前記方法は、ユーザ端末によって第１“シーケンスホッピング”パラメータ及び第２“シーケンスホッピング”パラメータを選択する段階と、ユーザ端末によって、前記第１シーケンスホッピングパラメータがシーケンスホッピングが活性化されないことを示す場合、第１シーケンスとなるすべての多重第１シーケンス及び第２シーケンスとなるすべての多重第２シーケンスを選択する段階と、前記ユーザ端末によって、前記第１シーケンスホッピングパラメータがシーケンスホッピングが活性化されたことを示し、前記第２シーケンスホッピングパラメータがシーケンスホッピングが活性化されなかったことを示す場合、第１シーケンスとなるすべての多重第１シーケンス及び第２ホッピングパターンによる第２シーケンスのセットから決定される多重第２シーケンスを選択する段階と、ユーザ端末によって、前記第１シーケンスホッピングパラメータがシーケンスホッピングが活性化されたことを示し、前記第２シーケンスホッピングパラメータがシーケンスホッピングが活性化されたことを示す場合、第１ホッピングパターンによる第１シーケンスのセットから決定される多重第１シーケンス及び第２ホッピングパターンによる第２シーケンスのセットから決定される多重第２シーケンスを選択する段階とを含む。
【発明の効果】
【００２９】
本発明によれば、アドバンストユーザ端末（Ａｄｖａｎｃｅｄ−ＵＥ）の間で、そしてレガシーユーザ端末（ｌｅｇａｃｙ−ＵＥ）とアドバンストユーザ端末との間で、ＤＭＲＳ多重化を最適化させることができる。
【００３０】
本発明の前記及び他の側面、特徴及び利点は、添付の図面を参照とする次の詳細な説明からさらに明確になる。
【図面の簡単な説明】
【００３１】
【図１】通信システムのアップリンクでＰＵＳＣＨ伝送のためのアップリンクサブフレーム構造を示す図である。
【図２】基地局でＳＡコーディングプロセスを示すブロック図である。
【図３】ユーザ端末でＳＡのデコーディングプロセスを示すブロック図である。
【図４】ＣＡＺＡＣを基盤としたシーケンスのための伝送機構造を示すブロック図である。
【図５】ＣＡＺＡＣを基盤としたシーケンスのための受信機構造を示すブロック図である。
【図６】ＣＡＺＡＣシーケンスの異なる循環シフトを利用する直交ＲＳ多重化を示す図である。
【図７】長さ１２  ＣＡＺＡＣを基盤としたシーケンスのための相互相関値のＣＤＦ（Ｃｕｍｕｌａｔｉｖｅ  Ｄｅｎｓｉｔｙ  Ｆｕｎｃｔｉｏｎ）を示す図である。
【図８】グループ内のシーケンスホッピングまたはグループシーケンスホッピングの使用によるＣＳ及びＯＣＣ値にＣＳＩ値をマッピングすることの解釈を示す図である。
【図９】基地局がＲＲＣシグナリングを通じてユーザ端末に通知する“ＯＣＣ−ｅｎａｂｌｅｄ”パラメータ値によるシーケンスホッピングの適用を示す図である。
【図１０】シーケンスホッピングのセル特定活性化及び“ＯＣＣ−ｅｎａｂｌｅｄ”パラメータによってＰＵＣＣＨで且つＰＵＳＣＨでシーケンスホッピングの異なる適用可能性を示す図である。
【発明を実施するための形態】
【００３２】
以下、本発明を添付の図面を参照してさらに詳細に説明する。しかし、本発明は、様々な形式に具現されることができ、この文献に開示された実施例に限定されるものではない。むしろ、このような実施例は、ここに公開されるものがさらに完全になるようにするために提供されるものであり、この技術分野において通常の知識を有するものに対して本発明の範囲を完全に伝達するためのことである。
【００３３】
追加的に、本発明が単一キャリア周波数分割多重接続（ＳＣ−ＦＤＭＡ；Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）通信システムに関して説明されるとしても、これは、また、すべての周波数分割多重化（ＦＤＭ；Ｆｒｅｑｕｅｎｃｙ  Ｄｉｖｉｓｉｏｎ  Ｍｕｌｔｉｐｌｅｘｉｎｇ）システムに一般的に適用されることができ、特に直交周波数分割多重接続（ＯＦＤＭＡ；Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、直交周波数分割多重化（ＯＦＤＭ）、周波数分割多重接続（ＦＤＭＡ）、離散フーリエ変換拡散ＯＦＤＭ（Ｄｉｓｃｒｅｔｅ  Ｆｏｕｒｉｅｒ  Ｔｒａｎｓｆｏｒｍ（ＤＦＴ）−ｓｐｒｅａｄＯＦＤＭ）、離散フーリエ変換拡散ＯＦＤＭＡ（ＤＦＴ−ｓｐｒｅａｄ  ＯＦＤＭＡ、ＳＣ−ＯＦＤＭＡ）、及び単一周波数ＯＦＤＭ（ＳＣ−ＯＦＤＭ）システムに適用されることができる。
【００３４】
次の２個の目的が考慮される。
ａ）ＣＳＩ値をＣＳ及びＯＣＣ値にマッピングすることを定義する。これは、アドバンストユーザ端末の間で、そしてレガシーユーザ端末とアドバンスユーザ端末との間で、ＤＭＲＳ多重化を最適化するものである。
ｂ）ＯＣＣの適用とともにＰＵＳＣＨでシーケンスホッピングを可能にする
【００３５】
一番目の目的は、ＣＳＩ値がＣＳ値に追加して各ＯＣＣ値を示すことによって時間ドメインでユーザ端末の間に直交ＤＭＲＳ多重化のためのシグナリング支援を提供することを考慮する。従来のＣＳＩ情報要素（ＩＥ；Ｉｎｆｏｒｍａｔｉｏｎ  Ｅｌｅｍｅｎｔ）は、変化しないように維持され、そしてＯＣＣがＤＭＲＳに適用されることを指示するために、ＣＳＩ  ＩＥに何らの追加的なビットが導入されない。その代わりに、ＣＳＩ値は、ＣＳ及びＯＣＣ値の両方にマッピングされることを提供する。
【００３６】
ＣＳＩ  ＩＥは、３ビットで構成されるものと推定され、８個のＣＳ｛ＣＳ０、ＣＳ１、ＣＳ２、ＣＳ３、ＣＳ４、ＣＳ５、ＣＳ６、及びＣＳ７｝のセットから１つのＣＳを扱う。例えば、ｎは、ＲＥインデックスである、周波数ドメインでＣＡＺＡＣを基盤としたシーケンス
【数６】
2013520908.tif 000009
に対して、ＤＭＲＳシーケンスは、
【数７】
2013520908.tif 000010
である。ここで、
【数８】
2013520908.tif 000011
は、
【数９】
2013520908.tif 000012
として与えられるＣＳであり、
【数１０】
2013520908.tif 000013
及び
【数１１】
2013520908.tif 000014
は、セルですべてのユーザ端末に対して共通であるセル特定値である。そして
【数１２】
2013520908.tif 000015
は、ＣＳＩから定義される。
【００３７】
レガシーユーザ端末、表１のマッピング、及び時間ドメイン（ｍｏｄｕｌｏ  １２）で大きい相互距離を有するＣＳ値を選択する目的のために、多様な数のＭＵ−ＭＩＭＯレガシーユーザ端末のための最適のＣＳ値は、次の通りである。
ａ）２ＭＵ−ＭＩＭＯレガシーユーザ端末：ＣＳ０及びＣＳ１
ｂ）３ＭＵ−ＭＩＭＯレガシーユーザ端末：ＣＳ０、ＣＳ３及びＣＳ５
ｃ）４ＭＵ−ＭＩＭＯレガシーユーザ端末：ＣＳ０、ＣＳ１、ＣＳ２及びＣＳ７
【００３８】
４ＭＵ−ＭＩＭＯレガシーユーザ端末に対して、最適ＣＳ値は、事実上一番目の４個のＣＳ０、ＣＳ１、ＣＳ２及びＣＳ７と、他の追加値とで構成される。レガシーユーザ端末は、それらのＤＭＲＳ伝送のためのＯＣＣを支援しないものと推定され、したがって、それらは、ＯＣＣ｛１、１｝の内在的な割り当てを有する。通信システムは、レガシーユーザ端末及びアドバンストユーザ端末の両方を支援するものと推定されるので、ＯＣＣ｛１、１｝は、レガシーユーザ端末によって内在的に使用され、ＯＣＣ｛１、−１｝のように、アドバンストユーザ端末に対して容易に使用されない。これから、アドバンストユーザ端末に対してＣＳＩをＯＣＣ／ＣＳマッピングする規則が考慮される。
【００３９】
第１規則は、ＣＳＩ値がＯＣＣ｛１、１｝を指示することは、レガシーユーザ端末とアドバンストユーザ端末との間にＭＵ−ＭＩＭＯ容量を最大化するために、レガシーユーザ端末とアドバンストユーザ端末に対して異なるＣＳ値を指示しなければならない。
【００４０】
第２規則は、ＣＳの同一の数がＯＣＣ｛１、１｝及びＯＣＣ｛１、−１｝と関連するものである。８  ＣＳ／ＯＣＣ組合の全体を指示する３ビットで構成されたＣＳＩに対して、これは、４  ＣＳ値がＯＣＣ｛１、１｝と関連され、そして４  ＣＳ値がＯＣＣ｛１、−１｝と関連することを意味する。
【００４１】
第３規則は、異なるＣＳは、ＯＣＣ｛１、１｝及びＯＣＣ｛１、−１｝に関連するものである。この際、ＤＭＲＳ直交多重化は、臨時チャネル多様性または大きいチャネル伝搬遅延に対するその堅固性（ｒｏｂｕｓｔｎｅｓｓ）を強化させるＯＣＣ及びＣＳの両方を介して行われることができる。
【００４２】
第４規則は、ＯＣＣ｛１、１｝と関連するＣＳ値は、最大相互距離を有し、ＯＣＣ｛１、−１｝と関連するＣＳ値も最大相互距離を有するものである。
【００４３】
上述した規則は、また、ＣＳＩ値をＣＳ及びＯＣＣ値に堅固にマッピングすることが保証されるとき、基地局（ＮｏｄｅＢ）がどんなＣＳＩ値でも、恣意的に選択することができるようにする。これは、ＣＳＩが（ＣＳＩを含むアップリンクＳＡによってスケジューリングされる場合において、ユーザ端末によるＰＵＳＣＨ伝送の基地局による受信に応答して）基地局から対応するＨＡＲＱ−ＡＣＫ信号伝送のためのリソースを指示するように使用されることができるので重要である。
【００４４】
表２は、前述された規則によってアドバンストユーザ端末によるＤＭＲＳ伝送のために使用されるＣＳ及びＯＣＣ値にＣＳＩ値をマッピングすることを示す。
【００４５】
【表２】
2013520908.tif 000016
【００４６】
表３でのマッピングは、また、ＣＳＩをＣＳ及びＯＣＣマッピングする規則を満足する。表１のマッピングに関連して、ＣＳ値とＯＣＣ値との関連性が予約されるという点だけが差異である。
【００４７】
【表３】
2013520908.tif 000017
【００４８】
原則的に、ＣＳ及びＯＣＣ値の対を有する特定ＣＳＩ値の関連性は、任意的であり、表２または表３のものに限定されない。例えば、代案的な関連性は、下記の表４または表５のようなものとして使用されることができる。これは、前述された規則は、ただアドバンストユーザ端末のためのＣＳとＯＣＣ値との関連性とレガシーユーザ端末のためのＣＳ値に対するそれらの関係だけを考慮したので重要である。この点において、ＣＳ／ＯＣＣ対と関連したＣＳＩ値は、重要でない。それにもかかわらず、表２または表３でＣＳ及びＯＣＣ値の対を有するＣＩＳ値の関連性は、利得になる。
【００４９】
【表４】
2013520908.tif 000018
【００５０】
【表５】
2013520908.tif 000019
【００５１】
二番目の目的は、ＰＵＳＣＨでＯＣＣの適用による活性化されたＤＭＲＳシーケンスホッピングを考慮する。ＤＭＲＳシーケンスホッピングは、異なるＯＣＣによる直交ＤＭＲＳ多重化を許容するようにするために、異なる帯域幅でＰＵＳＣＨ伝送を有するユーザ端末の間でＭＵ−ＭＩＭＯが発生する場合に不活性化されるようにすることが必要である。
【００５２】
基地局は、（シーケンスのグループにわたって、またはシーケンスのグループ内で）シーケンスホッピングがそのセルに適用されるか否かを制御することができ、ＭＵ−ＭＩＭＯ伝送が異なるＰＵＳＣＨ帯域幅を介して行われるか否かを制御することができるから、これは、このような２つの特徴（シーケンスホッピングまたは異なるＰＵＳＣＨ帯域幅にわたったＭＵ−ＭＩＭＯ）のうち選択することができる。（セル特定）“ｇｒｏｕｐ−ｈｏｐｐｉｎｇ−ｅｎａｂｌｅｄ”及び“ｓｅｑｕｅｎｃｅ−ｈｏｐｐｉｎｇ−ｅｎａｂｌｅｄ”パラメータがシーケンスホッピングが基地局によってサービスされるセル内で不活性化されたことを示す場合、ＣＳＩ値をＯＣＣ／ＣＳ値にマッピングすることは、例えば、表２、表３、表４または表５のようになることができる。”ｇｒｏｕｐ−ｈｏｐｐｉｎｇ−ｅｎａｂｌｅｄ“及び”ｓｅｑｕｅｎｃｅ−ｈｏｐｐｉｎｇ−ｅｎａｂｌｅｄ“パラメータがシーケンスホッピングがセル内で活性化されたものを示す場合、アドバンスユーザ端末のためにＣＳＩ値をＣＳ値にマッピングすることは、表１のようになることができる。
【００５３】
図８は、ＣＳＩ値からＣＳ及びＯＣＣ値にマッピングするアドバンスユーザ端末による解釈を示す。基地局がグループシーケンスホッピングまたはグループ内のシーケンスホッピングが活性化されること（８２０）を指示すれば、アドバンストユーザ端末は、ＣＳＩが、例えば、表１のマッピングを利用するＣＳ値８３０だけを指示するものと推定する。そうでなければ（８４０）、アドバンストユーザ端末は、ＣＳＩが、例えば、表２のマッピングを利用するＣＳ及びＯＣＣ値の両方８５０を指示するものと推定する。
【００５４】
代案的に、新しい（ユーザ端末特定）パラメータ“ＯＣＣ−ｅｎａｂｌｅｄ”は、レガシーユーザ端末とアドバンストユーザ端末との間にシーケンスホッピングの適用を分離するために、アドバンストユーザ端末に対して定義されることができる。“ＯＣＣ−ｅｎａｂｌｅｄ”パラメータは、基地局が既に（セル特定シグナリングを通じて）シーケンスホッピングがそのセルで活性化されたことを指示した場合、アドバンストユーザ端末にＲＲＣを介してシグナリングされ、シーケンスホッピングが活性化されるか、あるいは、そうでないか否かを示し、（そして、ＣＳＩをＣＳ及びＯＣＣ値の両方にマッピングさせるか、あるいは、ただＣＳ値にのみマッピングさせるかを解釈することができる）。一番目の場合において、アドバンストユーザ端末は、シーケンスホッピングに関して基地局による“ｇｒｏｕｐ−ｈｏｐｐｉｎｇ−ｅｎａｂｌｅｄ”及び“ｓｅｑｕｅｎｃｅ−ｈｏｐｐｉｎｇ−ｅｎａｂｌｅｄ”パラメータの指示に従う。二番目の場合において、アドバンストユーザ端末は、（セル特定）“ｇｒｏｕｐ−ｈｏｐｐｉｎｇ−ｅｎａｂｌｅｄ”及び“ｓｅｑｕｅｎｃｅ−ｈｏｐｐｉｎｇ−ｅｎａｂｌｅｄ”パラメータがシーケンスホッピングが活性化されたことを示す場合であるとしても、グループシーケンスホッピング及びグループ内のシーケンスホッピングの両方を不活性化させる。
【００５５】
図９は、ＣＳＩ値をＣＳ及びＯＣＣ値にマッピングさせること、そして基地局によってシグナリングされる“ＯＣＣ−ｅｎａｂｌｅｄ”パラメータの値によってアドバンストユーザ端末によるシーケンスホッピングを適用することを示す。アドバンストユーザ端末は、“ＯＣＣ−ｅｎａｂｌｅｄ＝Ｅｎａｂｌｅｄ”であるか否かを検証する（９１０）。そして、基地局がこれ（“ＯＣＣ−ｅｎａｂｌｅｄ”）が活性化されたこと（シーケンスホッピングが不活性化されたことを示す）を指示する場合（９２０）、アドバンストユーザ端末は、ＣＳＩ値が、例えば、表２でのマッピングを利用してＣＳ値及びＯＣＣ値を示すものとして推定することができ（９３０）、そして、アドバンストユーザ端末は、シーケンスホッピングのために各（セル特定）基地局指示子（ＮｏｄｅＢ  ｉｎｄｉｃａｔｉｏｎ）を考慮するそのＤＭＲＳ伝送に対してシーケンスホッピングを適用しない。そうでなく、ＯＣＣ−Ｅｎａｂｌｅｄが活性化されなければ（９４０）、アドバンストユーザ端末は、ＣＳＩ値が、例えば、表１でのマッピングを利用して、ただＣＳ値だけを示すものとして推定することができ、そのＤＭＲＳ伝送のためにシーケンスホッピングを考慮する（セル特定）基地局指示子に従う（９５０）。
【００５６】
ＰＵＣＣＨで信号伝送は、１つのＲＢで発生するものとして推定されるので、ただグループシーケンスホッピングが各ＣＡＺＡＣを基盤としたシーケンスに適用されることができる。（これは、ＤＭＲＳに追加に、ＨＡＲＱ−ＡＣＫ信号またはＣＱＩ信号を含むことができる）。ＯＣＣの導入からシーケンスホッピングに関する制限は、ＰＵＣＣＨで生じないので、アドバンストユーザ端末は、（ユーザ端末特定“ＯＣＣ−ｅｎａｂｌｅｄ”パラメータを介して）ＰＵＳＣＨでＤＭＲＳ伝送のためのＯＣＣの適用、そして、シーケンスホッピングのための（ユーザ端末特定）指示子に関係なく基地局による（セル特定）“ｇｒｏｕｐ−ｈｏｐｐｉｎｇ−ｅｎａｂｌｅｄ”パラメータを常に従うものとして推定される。
【００５７】
図１０は、“ＯＣＣ−ｅｎａｂｌｅｄ”パラメータによってＰＵＳＣＨ及びＰＵＣＣＨでＣＡＺＡＣを基盤としたシーケンスホッピングのためのセル特定“ｇｒｏｕｐ−ｈｏｐｐｉｎｇ−ｅｎａｂｌｅｄ”パラメータの異なる適用可能性を示す。もし“ｇｒｏｕｐ−ｈｏｐｐｉｎｇ−ｅｎａｂｌｅｄ”パラメータ１０１０がＣＡＺＡＣを基盤としたシーケンスのためのグループホッピングが活性化されないことを示す場合（１０２０）、ＣＡＺＡＣを基盤としたシーケンスのグループシーケンスホッピングは、ＰＵＳＣＨまたはＰＵＣＣＨに適用されない（１０３０）。もし“ｇｒｏｕｐ−ｈｏｐｐｉｎｇ−ｅｎａｂｌｅｄ”パラメータ１０１０がＣＡＺＡＣを基盤としたシーケンスのためのグループホッピングが活性化されたことを示す場合（１０４０）、ＰＵＳＣＨでＣＡＺＡＣを基盤としたシーケンスのグループホッピングは、“ＯＣＣ−ｅｎａｂｌｅｄ”パラメータによる（１０５０）。もし“ＯＣＣ−ｅｎａｂｌｅｄ”パラメータが設定されなければ（１０６０）、ＣＡＺＡＣを基盤としたシーケンスのグループシーケンスホッピングは、ＰＵＳＣＨ及びＰＵＣＣＨの両方に適用される（１０７０）。もし“ＯＣＣ−ｅｎａｂｌｅｄ”パラメータが設定されれば（１０８０）、ＣＡＺＡＣを基盤としたシーケンスのグループシーケンスホッピングは、ただＰＵＣＣＨにのみ適用される（１０９０）。
【００５８】
今まで本発明が本発明の好ましい実施例を参照にして図示され、説明されたが、添付の特許請求範囲と同等なものによって定義される本発明の思想及び範囲を脱することなく、形式及び詳細事項の多様な変更が行われることができることをこの技術分野における通常の知識を有する者なら理解されることができる。
【符号の説明】
【００５９】
１１０  ＰＵＳＣＨ伝送のためのサブフレーム構造
１２０  スロット
１３０  シンボル
１４０  ＤＭＲＳ伝送
【図１】
2013520908.tif 000020
【図２】
2013520908.tif 000021
【図３】
2013520908.tif 000022
【図４】
2013520908.tif 000023
【図５】
2013520908.tif 000024
【図６】
2013520908.tif 000025
【図７】
2013520908.tif 000026
【図８】
2013520908.tif 000027
【図９】
2013520908.tif 000028
【図１０】
2013520908.tif 000029
【国際調査報告】
2013520908.tif 000030
2013520908.tif 000031